(57)【要約】【課題】放射線照射の停止条件となる放射線量を適切に設定することを目的とする。【解決手段】過去に実施した放射線撮像に関する被写体の被写体情報と、放射線量に基づいて放射線撮像を停止する停止条件と、を対応付けた参照テーブルを記憶する記憶手段と、新たに実施する放射線撮像に関する被写体の被写体情報と参照テーブルとに基づいて、新たに実施する放射線撮像を停止する停止条件を決定する決定手段とを有する。【選択図】図１
2019097750.tif 000002
【特許請求の範囲】
【請求項１】
過去に実施した放射線撮像に関する被写体の被写体情報と、放射線量に基づいて放射線撮像を停止する停止条件と、を対応付けた参照テーブルを記憶する記憶手段と、
新たに実施する放射線撮像に関する被写体の被写体情報と前記参照テーブルとに基づいて、新たに実施する放射線撮像を停止する停止条件を決定する決定手段とを有することを特徴とする制御装置。
【請求項２】
前記被写体情報は、患者の識別情報を含み、
前記決定手段は、前記患者の識別情報に基づいて、前記停止条件を決定することを特徴とする請求項１に記載の制御装置。
【請求項３】
前記参照テーブルは、過去に実施した放射線撮像に関する撮像情報をさらに前記停止条件に対応付け、
前記決定手段は、前記新たに実施する放射線撮像に関する前記撮像情報と前記参照テーブルとに基づいて、前記停止条件を決定することを特徴とする請求項１又は２に記載の制御装置。
【請求項４】
前記撮像情報は、撮像部位及び撮像方向の少なくとも一方を示す情報を含み、
前記決定手段は、前記撮像部位及び撮像方向の少なくとも一方に基づいて、前記停止条件を決定することを特徴とする請求項３に記載の制御装置。
【請求項５】
前記撮像情報は、放射線撮像を行う撮像装置の種別を示す情報を含み、
前記決定手段は、前記撮像装置の種別に基づいて、前記停止条件を決定することを特徴とする請求項３に記載の制御装置。
【請求項６】
前記撮像情報は、放射線撮像の依頼元を示す情報を含み、
前記決定手段は、前記依頼元に基づいて、前記停止条件を決定することを特徴とする請求項３に記載の制御装置。
【請求項７】
前記依頼元を示す情報は、医師の識別情報であることを特徴とする請求項６に記載の制御装置。
【請求項８】
前記依頼元を示す情報は、診療科を示す情報であることを特徴とする請求項６に記載の制御装置。
【請求項９】
前記撮像情報は、放射線撮像により得られた撮像画像に対する評価値を含み、
前記決定手段は、前記評価値に基づいて、前記停止条件を決定することを特徴とする請求項３に記載の制御装置。
【請求項１０】
前記撮像情報は、放射線撮像により得られた撮像画像が写損画像か否かを示す情報を含み、
前記決定手段は、前記写損画像か否かに基づいて、前記停止条件を決定することを特徴とする請求項３に記載の制御装置。
【請求項１１】
前記撮像情報は、前記制御装置と異なる他の制御装置による、過去の放射線撮像の条件を含むことを特徴とする請求項３に記載の制御装置。
【請求項１２】
放射線を照射する放射線発生装置と、
過去に実施した放射線撮像に関する被写体の被写体情報と、放射線量に基づいて放射線発生装置の放射線照射を停止する停止条件と、を対応付けた参照テーブルを記憶する記憶手段と、
新たに実施する放射線撮像に関する被写体の被写体情報と前記参照テーブルに基づいて、新たに実施する放射線撮像における前記放射線発生装置の放射線照射を停止する停止条件を決定する決定手段とを有することを特徴とする放射線撮像システム。
【請求項１３】
制御装置が実行する制御方法であって、
記憶手段に記憶された、過去に実施した放射線撮像に関する被写体の被写体情報と、放射線量に基づいて放射線撮像を停止する停止条件と、を対応付けた参照テーブルと、新たに実施する放射線撮像に関する被写体の被写体情報と、に基づいて、新たに実施する放射線撮像を停止する停止条件を決定する決定ステップを含むことを特徴とする制御方法。
【請求項１４】
コンピュータに、
記憶手段に記憶された、過去に実施した放射線撮像に関する被写体の被写体情報と、放射線量に基づいて放射線撮像を停止する停止条件と、を対応付けた参照テーブルと、新たに実施する放射線撮像に関する被写体の被写体情報と、に基づいて、新たに実施する放射線撮像を停止する停止条件を決定する決定ステップを実行させるためのプログラム。
【発明の詳細な説明】
【技術分野】
【０００１】
本発明は、放射線撮像の制御装置、放射線撮像システム、制御方法及びプログラムに関する。
【背景技術】
【０００２】
近年、放射線発生装置から照射され、被写体を透過した放射線をＦＰＤ（Ｆｌａｔ  Ｐａｎｅｌ  Ｄｅｔｅｃｔｏｒ）で読み取り、ＦＰＤから送信された放射線画像を撮像制御装置が表示するシステムが知られている。このようなシステムにおいては、放射線撮像が開始される前に撮像制御装置から放射線発生装置に対して放射線の強度や照射時間などを含む照射条件が通知され、放射線発生装置には通知された照射条件が設定される。通知される照射条件は撮像部位や撮像方向などに応じて予め設定されたものであり、ある程度診断に適した放射線画像を得るために調整された設定値である。ユーザは、放射線発生装置の操作パネルを用いて、通知された照射条件の微調整を行うことができ、微調整後の照射条件で、放射線を発生させ放射線撮像を開始することができる。
【０００３】
特許文献１には、過去の放射線撮像結果から診断可能と判断された放射線撮像の情報を用いて、模範となる照射条件をユーザに提示する技術が開示されている。ユーザは、提示された照射条件に基づいて、簡便に微調整することができる。しかしながら、特許文献１のシステムは照射条件を調整するものであり、被写体を透過してＦＰＤに到達する放射線量が適切でない可能性がある。
【０００４】
一方、特許文献２には、到達する放射線量を検知し、一定の放射線量に達したところで放射線発生装置の照射を停止するＡＥＣ（Ａｕｔｏ  Ｅｘｐｏｓｕｒｅ  Ｃｏｎｔｒｏｌ）機構を備えた放射線撮像システムが開示されている。このシステムを用いることで、ＦＰＤに到達する放射線量を一定に制御することができ、常に診断に適した放射線画像を得ることができる。
【先行技術文献】
【特許文献】
【０００５】
【特許文献１】特開２０１３−０４８７４６号公報
【特許文献２】特開２０１３−２３３４２０号公報
【発明の概要】
【発明が解決しようとする課題】
【０００６】
しかしながら、ＡＥＣ機構を利用する場合において、診断に適した放射線画像を得るためには、撮像部位や撮像方向などに応じて予めＡＥＣ設定を行う必要がある。また、複数の放射線撮像システムを保有する施設においては、ＡＥＣ設定を放射線撮像システムに反映させるための手間がかかる。さらに、所望のＡＥＣ設定にするための調整を継続的に行う必要が生じる場合もある。
【０００７】
本発明はこのような問題点に鑑みなされたもので、放射線照射の停止条件となる放射線量を適切に設定することを目的とする。
【課題を解決するための手段】
【０００８】
そこで、本発明は、制御装置であって、過去に実施した放射線撮像に関する被写体の被写体情報と、放射線量に基づいて放射線撮像を停止する停止条件と、を対応付けた参照テーブルを記憶する記憶手段と、新たに実施する放射線撮像に関する被写体の被写体情報と前記参照テーブルとに基づいて、新たに実施する放射線撮像を停止する停止条件を決定する決定手段とを有することを特徴とする。
【発明の効果】
【０００９】
本発明によれば、放射線照射の停止条件となる放射線量を適切に設定することができる。
【図面の簡単な説明】
【００１０】
【図１】放射線撮像システムの機能構成図である。
【図２】撮像制御装置のハードウエア構成図である。
【図３】撮像制御処理を示すフローチャートである。
【図４】撮像条件決定処理を示すフローチャートである。
【図５】Ｓ４０２の処理の説明図である。
【図６】撮像処理を示すフローチャートである。
【図７】第２の実施形態に係る撮像条件決定処理を示すフローチャートである。
【図８】第２の実施形態に係る撮像条件決定処理の説明図である。
【図９】第３の実施形態に係る撮像条件決定処理を示すフローチャートである。
【図１０】第３の実施形態に係る撮像条件決定処理の説明図である。
【図１１】第４の実施形態に係る撮像条件決定処理を示すフローチャートである。
【図１２】第４の実施形態に係る撮像条件決定処理の説明図である。
【図１３】第５の実施形態に係る撮像条件決定処理を示すフローチャートである。
【図１４】第５の実施形態に係る撮像条件決定処理の説明図である。
【図１５】第６の実施形態に係る撮像条件決定処理を示すフローチャートである。
【図１６】第６の実施形態に係る撮像条件決定処理の説明図である。
【図１７】変形例を示す図である。
【図１８】変形例を示す図である。
【発明を実施するための形態】
【００１１】
以下、本発明の実施形態について図面に基づいて説明する。
【００１２】
（第１の実施形態）
図１は、第１実施形態における放射線撮像システムの機能構成図である。本実施形態の放射線撮像システム１０は、放射線を照射する放射線発生装置１１０と、放射線発生装置１１０から照射された放射線に基づき画像を生成する放射線撮像装置１２０と、放射線撮像装置１２０と通信し撮像を制御する撮像制御装置１３０と、を有する。また、本実施形態では、放射線発生装置１１０と放射線撮像装置１２０の間で、放射線の照射タイミングの同期をとる装置として同期制御部１４０を別途有している。他の例としては、同期制御部１４０は、放射線撮像装置１２０や撮像制御装置１３０の一部として構成してもよい。
【００１３】
放射線発生装置１１０の出力制御部１１１は、撮像制御装置１３０から通知された出力条件を放射線出力部１１２へ反映し、放射線照射後の実出力条件の通知を制御する。出力制御部１１１はまた、照射スイッチ２０からの信号を受けて同期制御部１４０と照射タイミングの同期を取りながら放射線出力を制御する。放射線出力部１１２は、出力制御部１１１からの指示を受け、出力条件に準じて放射線を照射する。
【００１４】
放射線撮像装置１２０の撮像状態制御部１２１は、撮像制御装置１３０からの通知を受けて放射線撮像装置１２０を撮像可能状態に遷移させ、撮像後に撮像休止状態へ遷移させるなど、撮像状態を制御する。撮像部１２２は、撮像状態制御部１２１の指示により放射線可能状態となった場合に、同期制御部１４０とタイミングを合わせながら放射線発生装置１１０からの放射線を蓄積し、デジタル画像（放射線画像）を生成する。放射線検出部１２３は、撮像部１２２と同様に撮像状態制御部１２１の指示により放射線可能状態となった場合に、同期制御部１４０とタイミングを合わせながら放射線発生装置１１０からの放射線を蓄積する。放射線検出部１２３は、蓄積した放射線量が所定の閾値を超えた場合に、同期制御部１４０に照射停止信号を送る。同期制御部１４０は、照射停止信号に従い、放射線発生装置１１０の放射線照射を停止する。放射線画像送信部１２４は、撮像部１２２が生成したデジタル画像（放射線画像）を撮像制御装置１３０へと送信する。
【００１５】
撮像制御装置１３０の撮像条件決定部１３１は、外部入力デバイス３０から撮像する被写体に関するオーダー情報を受け、撮像条件を決定する。撮像条件決定部１３１は、設定記憶部１３３が記憶している設定に基づく設定値か、撮像情報記憶部１３４に記憶している過去の撮像情報からオーダー情報に合った条件を、撮像条件として決定する。決定方法の具体例については後述する。主制御部１３２は、撮像条件決定部１３１が決めた撮像条件を、放射線発生装置１１０や放射線撮像装置１２０に対して通知する。また、主制御部１３２は、放射線発生装置１１０や放射線撮像装置１２０が実施した放射線撮像に係る情報を取得する。主制御部１３２は、また放射線画像送信部１２４から放射線画像を取得する。
【００１６】
設定記憶部１３３は、オーダー情報における撮像部位や撮像方向等オーダー情報に関する情報と、撮像条件とを対応付けて記憶している。撮像情報記憶部１３４は、放射線撮像を実施したオーダー情報や放射線画像、放射線発生装置１１０の出力条件、放射線撮像装置１２０の情報やＡＥＣ設定などを関連付けて記憶する。また、撮像情報記憶部１３４は、外部入力デバイス３０より入力された撮像不備による写損の実施有無や、オーダーを出した診療科や担当医師、診断結果などを後から併せて記憶してもよい。表示部１３５は、外部入力デバイスにより受け付けたオーダー情報や、撮像条件決定部１３１が決定した撮像条件、主制御部１３２がコントロールしている放射線撮像装置１２０の情報、放射線画像送信部１２４から受信した放射線画像などを表示する。
【００１７】
図２は、撮像制御装置１３０のハードウエア構成図である。ＣＰＵ１１は、撮像制御装置１３０の全体を制御する。ＲＡＭ１２に展開されたプログラムを実行することにより撮像制御装置１３０の図１に示した各機能部を実現する。ＲＡＭ１２は、読み出し専用メモリである。二次記憶装置１４は、例えば、ハードディスクで構成され、放射線撮像装置１２０から受信した放射線画像などを格納する。入力装置１５は、ポインティングデバイスやキーボードを含み、ユーザの操作を受け付ける。表示装置１６は、例えば、液晶表示装置であり、放射線画像などを表示する。インターフェース（Ｉ／Ｆ）部１７は、撮像制御装置１３０をネットワーク２００に接続する。以上の各構成は、バス１８により相互に通信可能に接続されている。
【００１８】
ネットワーク２００は、撮像制御装置１３０、放射線撮像装置１２０、放射線発生装置１１０を通信可能に接続する。ネットワーク２００は、有線ネットワーク、無線ネットワークなどでもよい。また、上述した放射線発生装置１１０と放射線撮像装置１２０の同期をとるための通信には、ネットワーク２００が用いられてもよいし、専用の有線／無線接続が用いられてもよい。放射線撮像装置１２０にはコントローラ２１が内蔵されており、コントローラ２１内のＣＰＵ（不図示）がメモリ（不図示）に格納された所定のプログラムを実行することで動作する。
【００１９】
図３は、撮像制御装置１３０による撮像制御処理を示すフローチャートである。Ｓ３０１において、撮像条件決定部１３１は、外部入力デバイス３０を介してユーザにより入力されたオーダー情報を取得する。ここで、オーダー情報は、これから放射線撮像を実施しようとする撮像対象の被写体についての情報である。以下、撮像対象の被写体を対象被写体と称する。ユーザは、オーダー情報をまとめたデータやファイルを指定してもよく、またポインティングデバイスやキーボードによる手入力でオーダー情報を入力してもよい。ここで、オーダー情報は、被写体となる患者の氏名、年齢、性別等、被写体に関する情報と、撮像部位と、撮影方向と、を含んでいる。オーダー情報は、被写体情報の一例である。
【００２０】
次に、Ｓ３０２において、撮像条件決定部１３１は、撮像条件を決定する。ここで、撮像条件は、出力条件及びＡＥＣ設定を含むものとする。Ｓ３０２の処理については図４を参照しつつ後述する。次に、Ｓ３０３において、主制御部１３２は、撮像準備処理を行う。具体的には、主制御部１３２は、Ｓ３０２において決定した撮像条件を、出力制御部１１１及び撮像状態制御部１２１に送信することで、出力制御部１１１及び撮像状態制御部１２１に撮像条件を設定する。そして、主制御部１３２は、撮像条件が設定された撮像状態制御部１２１を撮像休止状態から撮像可能状態へ遷移させる。これにより、撮像部１２２及び放射線検出部１２３は、放射線蓄積可能な状態になる。
【００２１】
次に、Ｓ３０４において、主制御部１３２は、放射線画像送信部１２４から放射線撮像により得られた放射線画像を取得し、さらに、撮像情報を取得する。ここで、撮像情報は、過去に実施された放射線撮像に関する情報であり、オーダー情報及び撮像条件を含む。主制御部１３２は、撮像情報を撮像情報記憶部１３４に記憶する。次に、Ｓ３０５において、主制御部１３２は、処理対象のオーダー情報に対する撮像が終了するか否かを判定する。主制御部１３２は、撮像終了の場合は（Ｓ３０５でＹＥＳ）、撮像処理を終了する。主制御部１３２は、撮像終了でない場合は（Ｓ３０５でＮＯ）、処理をＳ３０１へ進める。
【００２２】
図４は、撮像条件決定処理（Ｓ３０２）における詳細な処理を示すフローチャートである。Ｓ４０１において、撮像条件決定部１３１は、患者、撮像部位及び撮像方向それぞれが撮像対象のオーダー情報と同一の撮像情報が撮像情報記憶部１３４に格納されているか否かを判定する。撮像条件決定部１３１は、すべて同一の撮像情報が格納されている場合には（Ｓ４０１でＹＥＳ）、処理をＳ４０２へ進める。撮像条件決定部１３１は、すべて同一の撮像情報が格納されていない場合には（Ｓ４０１でＮＯ）、処理をＳ４０３へ進める。
【００２３】
Ｓ４０２において、撮像条件決定部１３１は、撮像対象のオーダー情報と同一と判定された撮像情報に示される撮像条件を、撮像対象についての撮像条件として決定する。なお、撮像条件決定部１３１は、患者、撮像部位及び撮像方向のすべてが同一の撮像情報が複数存在する場合には、撮像日が最新の撮像情報を選択する。そして、撮像条件決定部１３１は、この撮像情報に示される撮像条件を、撮像対象の撮像条件として決定する。一方、Ｓ４０３においては、撮像条件決定部１３１は、撮像対象のオーダー情報に基づいて、撮像条件を決定する。具体的には、撮像条件決定部１３１は、設定記憶部１３３において撮像対象のオーダー情報に対応付けられている撮像条件を、撮像対象の撮像条件として決定する。
【００２４】
図５は、Ｓ４０２の処理の説明図である。図５（ａ）は、オーダー情報５００の一例を示す図である。図５（ｂ）は、撮像情報テーブル５１０と、撮像情報テーブル５１０に基づいて、図４に示す処理により決定された撮像条件５２０とを示す図である。ここで、撮像情報テーブル５１０は、参照テーブルの一例である。
【００２５】
オーダー情報５００は、これから撮像しようとする対象被写体についての情報であり、撮像日、患者名、年齢、身長、体重などの被写体情報を含んでいる。ここで、患者名は、患者の識別情報の一例である。
【００２６】
撮像情報テーブル５１０は、過去の放射線撮像に関する撮像情報として、オーダー情報と、撮像条件と、写損と、を含んだレコードを複数記憶している。撮像条件は、放射線発生装置１１０が実際に使用した出力条件と、ＡＥＣ設定と、ＡＥＣ実施情報と、を含んでいる。出力条件は、実際に放射線発生装置１１０が使用した電圧（ｋＶ）、電流（ｍＡ）、時間（ｍＳｅｃ）、管球と被写体の距離（または管球と放射線撮像装置１２０表面の距離）を示すＳＩＤ等を含んでいる。
【００２７】
ＡＥＣ設定は、ＡＥＣの動作ＯＮ／ＯＦＦ、領域、設定感度を含んでいる。ここで、領域は、ＡＥＣが働く画像の領域を示す情報である。設定感度は、基準とする放射線量に対する比率を示す情報である。ＡＥＣの実施情報は、到達線量及び停止動作を含んでいる。到達線量は、放射線検出部１２３において基準とする放射線量に対して実際に到達した放射線量を表す比率を示す情報である。停止動作は、実際にＡＥＣが発動し、撮像動作が停止したか否かを示す情報である。なお、本実施形態では設定感度をＡＥＣ設定に含めているが、基準とする放射線量を変更してもよいし、放射線受光開始から終了までの時間を基準としてもよい。写損は、放射線撮像により得られた画像が写損画像とされたか否かを示す情報である。
【００２８】
図５（ｂ）の撮像情報テーブル５１０においては、Ｓ４０２において、オーダー情報５００と患者、撮像部位及び撮像方向が同一の撮像情報のうち最新のレコードとしてレコード５１１が選択される。そして、このレコード５１１に示される出力条件及びＡＣＥ設定が、撮像対象についての撮像条件５２０として決定されている。撮像条件５２０は、出力条件と、ＡＥＣ設定と、を含んでいる。出力条件は、レコード５１１の出力条件とほぼ同じであるが、時間（ｍｓｅｃ）は、ＡＥＣが発動する時間よりも長い時間とすべく「１１３」から「１５０」に変更されている。また、ＡＥＣ設定は、動作のＯＮ／ＯＦＦと、領域、係数を含んでいる。ここで、係数は、レコード５１１の設定感度に対応して定まる値である。
【００２９】
ここで、ＡＥＣ設定は、対象被写体に対する放射線撮像を停止するための停止条件である。すなわち、Ｓ４０２の処理は、撮像情報テーブルを参照し、被写体情報としてのオーダー情報に基づいて、対象被写体に対する、停止条件を決定する決定処理の一例である。
【００３０】
なお、他の例としては、撮像条件決定部１３１は、写損でない（診断に適した撮像が実施された）画像の撮影に対応した撮像情報のみを検索対象として、Ｓ４０１の処理を行うことにしてもよい。また、他の例としては、撮像条件決定部１３１は、同一患者の複数の撮像情報の中から、体重や体厚の変化により、例えば体重の増減に応じて出力条件の時間（ｍＳｅｃ）やＡＥＣの設定感度を線形補間するなど、撮像条件を被写体の状態に応じて調整してもよい。
【００３１】
図６は、放射線撮像装置１２０による撮像処理を示すフローチャートである。放射線撮像装置１２０は、図３に示すＳ３０３の処理により撮影準備が完了した状態で、ユーザから撮影開始指示を受け付けた場合に、撮影処理を開始する。撮影を開始したい場合には、ユーザは、照射スイッチ２０を押下する。これに対応し、放射線発生装置１１０から同期制御部１４０へと同期信号が送られる。Ｓ６０１において、放射線撮像装置１２０は、同期信号を受信した同期制御部１４０からの指示に従い、放射線撮像可能な状態か否かを確認し、放射線撮像可能な状態であれば、放射線蓄積を開始する。次に、Ｓ６０２において、放射線撮像装置１２０の放射線蓄積に伴い、放射線発生装置１１０は、放射線の照射を開始する。
【００３２】
次に、Ｓ６０３において、放射線検出部１２３が前述したＡＥＣ設定に基づいて放射線の蓄積状況を監視し、放射線の蓄積量（到達線量）と放射線量の閾値Ａとを比較する。こで、閾値Ａは、Ｓ４０２又はＳ４０３において決定された撮像条件に含まれるＡＥＣ設定の係数に応じて定まる値である。放射線検出部１２３は、放射線の蓄積量が閾値Ａ以上の場合には（Ｓ６０３でＹＥＳ）、処理をＳ６０５へ進める。こ放射線検出部１２３は、放射線の蓄積量が閾値Ａ未満の場合には（Ｓ６０３でＮＯ）、処理をＳ６０４へ進める。Ｓ６０４において、放射線検出部１２３は、放射線撮像装置１２０が放射線の蓄積を開始してからの経過時間（蓄積時間）と時間の閾値Ｂとを比較する。おこで、閾値Ｂは、予め設定された値である。放射線検出部１２３は、経過時間が閾値Ｂ以上の場合には（Ｓ６０３でＹＥＳ）、処理をＳ６０５へ進める。放射線検出部１２３は、経過時間が閾値Ｂ未満の場合には（Ｓ６０３でＮＯ）、処理をＳ６０４へ進める。
【００３３】
Ｓ６０５において、放射線撮像装置１２０から同期制御部１４０を介して、放射線発生装置１１０に放射線の停止信号を送り、放射線の照射を停止させる。次に、Ｓ６０６において、放射線撮像装置１２０は、放射線の蓄積を終了する。次に、Ｓ６０７において、撮像部１２２は、放射線を受けた画素を読み出し、デジタル画像を生成する。
【００３４】
以上のように、第１の実施形態に係る放射線撮像システム１０においては、撮像制御装置１３０は、撮像対象のオーダー情報と、患者、撮像部位、及び撮影方向が同一の撮像条件を、撮像対象の撮像条件として放射線撮像装置１２０に設定する。放射線撮像装置１２０が、自動的に設定されたＡＥＣ設定を利用することで、必要とする放射線量（到達線量）を受けた時点で放射線照射を停止する機構が働く。すなわち、放射線撮像システム１０においては、ユーザがＡＥＣ設定を変更することなく、常に診断に適した放射線画像を生成することができる。すなわち、撮像制御装置１３０は、放射線照射の停止条件となる放射線量を適切に設定することができる。
【００３５】
（第２の実施形態）
第２の実施形態の放射線撮像システムについて、第１の実施形態に係る放射線撮像システムと異なる点を主に説明する。第２の実施形態に係る放射線撮像システムにおいては、撮像制御装置１３０は、患者が同一か否かを考慮することなく、撮像部位及び撮像方向が同一か否かに応じて撮像条件を設定する。図７は、第２の実施形態に係る撮像制御装置１３０による、撮像条件決定処理（Ｓ３０２）における詳細な処理を示すフローチャートである。第２の実施形態の撮像制御装置１３０は、図４に示す処理に替えて図７に示す処理を行う。
【００３６】
Ｓ７０１において、撮像条件決定部１３１は、撮像部位及び撮像方向それぞれが撮像対象のオーダー情報と同一の撮像情報が撮像情報記憶部１３４に格納されているか否かを判定する。撮像条件決定部１３１は、すべて同一の撮像情報が格納されている場合には（Ｓ７０１でＹＥＳ）、処理をＳ７０２へ進める。撮像条件決定部１３１は、すべて同一の撮像情報が格納されていない場合には（Ｓ７０１でＮＯ）、処理をＳ７０３へ進める。Ｓ７０２において、撮像条件決定部１３１は、撮像対象のオーダー情報と同一と判定された撮像情報に示される撮像条件を、撮像対象の撮像条件として決定する。なお、撮像条件決定部１３１は、撮像部位及び撮像方向のいずれも同一の撮像情報が複数存在する場合には、撮像対象のオーダー情報と体格が最も類似する撮像情報を、撮像対象の撮像条件として決定する。具体的には、撮像条件決定部１３１は、身長、体重、体厚、ＢＭＩのうち少なくとも１つに基づいて、体格の類似度を判定する。Ｓ７０３の処理は、図４を参照しつつ説明したＳ４０３の処理と同様である。
【００３７】
図８は、図７に示す撮像条件決定処理（Ｓ３０２）の説明図である。図８は、撮像情報テーブル８００と、撮像情報テーブル８００に基づいて、図７に示す処理により決定された撮像条件８１０と、を示している。なお、オーダー情報は、図５に示すオーダー情報５００とする。図８の例では、患者の異なるレコード８０１が選択され、このレコード８０１に示される撮像条件が、撮像対象の撮像条件８１０として決定される。なお、第２の実施形態に係る放射線撮像システムのこれ以外の構成及び処理は、第１の実施形態に係る放射線撮像システムの構成及び処理と同様である。
【００３８】
図８に示す撮像情報テーブル８００においては、患者、撮像部位及び撮像方向が同一の撮像情報が存在しない。本実施形態の放射線撮像システムにおいては、このような場合においても、適切な撮像条件を設定することができる。
【００３９】
（第３の実施形態）
第３の実施形態の放射線撮像システムについて、他の実施形態に係る放射線撮像システムと異なる点を主に説明する。第３の実施形態に係る放射線撮像システムにおいては、撮像制御装置１３０は、患者が同一か否かと、撮像部位及び撮像方向の少なくとも一方が類似するか否か、とを考慮して撮像条件を設定する。図９は、第３の実施形態に係る撮像制御装置１３０による、撮像条件決定処理（Ｓ３０２）における詳細な処理を示すフローチャートである。第３の実施形態の撮像制御装置１３０は、図４に示す処理に替えて図９に示す処理を行う。
【００４０】
Ｓ９０１において、撮像条件決定部１３１は、撮像対象のオーダー情報と、患者が同一で、かつ撮像部位及び撮像方向のうち少なくとも一方が類似する撮像情報が撮像情報記憶部１３４に格納されているか否かを判定する。なお、撮像部位及び撮像方向は、いずれも類似関係を示す類似情報が予め撮像制御装置１３０の二次記憶装置１４に記憶されているものとする。例えば、胸部と腹部とは、胸腹部というグループに属し、類似関係にあるといった情報が類似情報として記憶されている。なお、類似情報には、更に類似度の程度を示す情報が含まれるものとする。撮像条件決定部１３１は、患者が同一で、かつ撮像部位及び撮像方向のうち少なくとも一方が類似する撮像情報が格納されている場合には（Ｓ９０１でＹＥＳ）、処理をＳ９０２へ進める。撮像条件決定部１３１は、患者が同一で、かつ撮像部位及び撮像方向のうち少なくとも一方が類似する撮像情報が格納されていない場合には（Ｓ９０１でＮＯ）、処理をＳ９０３へ進める。
【００４１】
Ｓ９０２において、撮像条件決定部１３１は、患者が同一で、かつ撮像部位及び撮像方向のうち少なくとも一方が類似する撮像情報に示される撮像条件を、撮像対象の撮像条件として決定する。なお、撮像条件決定部１３１は、患者が同一で、かつ撮像部位及び撮像方向のうち少なくとも一方が類似する撮像情報が複数存在する場合がある。この場合には、類似情報に示される類似の程度に基づいて、撮像部位及び撮像方向が最も類似する撮像条件を、撮像対象の撮像条件として決定する。Ｓ９０３の処理は、図４を参照しつつ説明したＳ４０３の処理と同様である。
【００４２】
図１０は、図９に示す撮像条件決定処理（Ｓ３０２）の説明図である。図１０は、撮像情報テーブル１０００と、撮像条件１０１０と、を示している。撮像条件１０１０は、撮像情報テーブル１０００に基づいて、図７に示す処理により決定された撮像条件である。なお、オーダー情報は、図５に示すオーダー情報５００とする。図１０の例では、患者が同一で、かつ撮影部位が類似するレコード１００１が選択され、このレコード１００１に示される撮像条件が、撮像対象の撮像条件１０１０として決定される。なお、第３の実施形態に係る放射線撮像システムのこれ以外の構成及び処理は、他の実施形態に係る放射線撮像システムの構成及び処理と同様である。
【００４３】
図１０に示す撮像情報テーブル１０００においては、オーダー情報５００と患者が同一でかつ撮像部位及び撮像方向が同一の撮像情報は存在しない。本実施形態の放射線撮像システムにおいては、このような場合においても、適切な撮像条件を設定することができる。
【００４４】
（第４の実施形態）
第４の実施形態の放射線撮像システムについて、他の実施形態に係る放射線撮像システムと異なる点を主に説明する。第４の実施形態に係る放射線撮像システムにおいては、撮像制御装置１３０は、依頼元が同一か否かと、撮像部位及び撮像方向が同一か否か、とを考慮して撮像条件を設定する。図１１は、第４の実施形態に係る撮像制御装置１３０による、撮像条件決定処理（Ｓ３０２）における詳細な処理を示すフローチャートである。第４の実施形態の撮像制御装置１３０は、図４に示す処理に替えて図１１に示す処理を行う。
【００４５】
Ｓ１１０１において、撮像条件決定部１３１は、撮像対象のオーダー情報と、依頼元が同一で、かつ撮像部位及び撮像方向が同一の撮像情報が撮像情報記憶部１３４に格納されているか否かを判定する。ここで、依頼元とは、オーダー情報を依頼してきた診療科及び診療医師とする。すなわち、診療科及び診療医師が同一の場合に依頼元が同一と判定する。また、他の例としては、依頼元は、診療科及び診療医師の何れか一方でもよい。撮像条件決定部１３１は、依頼元が同一、かつ撮像装置及び撮像方向が同一の撮像情報が格納されている場合には（Ｓ１１０１でＹＥＳ）、処理をＳ９０２へ進める。撮像条件決定部１３１は、依頼元が同一で、かつ撮像部位及び撮像方向が同一の撮像情報が格納されていない場合には（Ｓ１１０１でＮＯ）、処理をＳ９０３へ進める。
【００４６】
Ｓ１１０２において、撮像条件決定部１３１は、依頼元が同一で、かつ撮像部位及び撮像方向が同一の撮像情報に示される撮像条件を、撮像対象の撮像条件として設定する。Ｓ１１０３の処理は、図４を参照しつつ説明したＳ４０３の処理と同様である。ここで、Ｓ１１０２の処理は、依頼元としての診療科を示す情報、医師の識別情報としての依頼医師（医師名）に基づいて、停止条件を決定する決定処理の一例である。
【００４７】
図１２は、図１１に示す撮像条件決定処理（Ｓ３０２）の説明図である。図１２（ａ）は、第４の実施形態に係るオーダー情報１２００の一例を示す図である。図１２（ｂ）は、撮像情報テーブル１２１０及び撮像条件１２２０の一例を示す図である。撮像条件１２２０は、撮像情報テーブル１２１０に基づいて、図１１に示す処理により決定された撮像条件である。オーダー情報１２００及び撮像情報テーブル１２１０には、依頼元としての依頼科及び依頼医師が含まれている。図１２の例では、依頼科及び依頼医師が同一で、かつ撮像部位及び撮像方向が同一のレコード１２１１が選択され、このレコード１２１１に示される撮像条件が、撮像対象の撮像条件１２２０として決定される。なお、第４の実施形態に係る放射線撮像システムのこれ以外の構成及び処理は、他の実施形態に係る放射線撮像システムの構成及び処理と同様である。以上のように、第４の実施形態に係る撮像制御装置１３０は、依頼元が同一の過去の撮像情報から、撮像条件を決定することができる。
【００４８】
（第５の実施形態）
第５の実施形態の放射線撮像システムについて、他の実施形態に係る放射線撮像システムと異なる点を主に説明する。第５の実施形態に係る放射線撮像システムにおいては、撮像制御装置１３０は、撮像に使用される放射線撮像装置の装置タイプが同一か否かと、撮像部位及び撮像方向が同一か否か、とを考慮して撮像条件を設定する。
【００４９】
図１３は、第５の実施形態に係る撮像制御装置１３０による、撮像条件決定処理（Ｓ３０２）における詳細な処理を示すフローチャートである。第５の実施形態の撮像制御装置１３０は、図４に示す処理に替えて図１３に示す処理を行う。Ｓ１３０１において、撮像制御装置１３０の撮像条件決定部１３１は、撮像に使用される放射線撮像装置の装置タイプ（種別）が同一かつ撮像部位及び撮像方向が同一の撮像情報が撮像情報記憶部１３４に格納されているか否かを判定する。
【００５０】
撮像条件決定部１３１は、装置タイプが同一かつ撮像部位及び撮像方向が同一の撮像情報が格納されている場合には（Ｓ１３０１でＹＥＳ）、処理をＳ１３０２へ進める。撮像条件決定部１３１は、装置タイプ、撮像部位及び撮像方向が同一の撮像情報が格納されていない場合には（Ｓ１３０１でＮＯ）、処理をＳ１３０３へ進める。Ｓ１３０２において、撮像条件決定部１３１は、装置タイプが同一かつ撮像部位及び撮像方向が同一の撮像情報に示される撮像条件を、撮像対象の撮像条件として設定する。Ｓ１３０３の処理は、図４を参照しつつ説明したＳ４０３の処理と同様である。
【００５１】
図１４は、図１３に示す撮像条件決定処理（Ｓ３０２）の説明図である。図１４（ａ）は、第５の実施形態に係るオーダー情報１４００の一例を示す図である。図１４（ｂ）は、撮像情報テーブル１４１０及び撮像条件１４２０の一例を示す図である。撮像条件１４２０は、撮像情報テーブル１４１０に基づいて、図１３に示す処理により決定された撮像条件である。オーダー情報１４００及び撮像情報テーブル１４１０には、撮像装置のタイプが含まれている。図１４の例では、装置タイプ、撮像部位及び撮像方向が同一のレコード１４１１が選択され、このレコード１４１１に示される撮像条件が、撮像対象の撮像条件１４２０として決定される。なお、第５の実施形態に係る放射線撮像システムのこれ以外の構成及び処理は、他の実施形態に係る放射線撮像システムの構成及び処理と同様である。以上のように、第５の実施形態に係る撮像制御装置１３０は、撮像装置が同一の過去の撮像情報から、撮像条件を決定することができる。
【００５２】
（第６の実施形態）
第６の実施形態の放射線撮像システムについて、他の実施形態に係る放射線撮像システムと異なる点を主に説明する。第６の実施形態に係る放射線撮像システムにおいては、撮像制御装置１３０は、患者、撮像部位及び撮像方向が同一か否か、に加え、画像の評価を考慮して撮像条件を設定する。
【００５３】
図１５は、第６の実施形態に係る撮像制御装置１３０による、撮像条件決定処理（Ｓ３０２）における詳細な処理を示すフローチャートである。第６の実施形態の撮像制御装置１３０は、図４に示す処理に替えて図１５に示す処理を行う。Ｓ１５０１において、撮像条件決定部１３１は、撮像対象のオーダー情報と患者、撮像部位及び撮像方向が同一で、かつ撮像画像の評価が良好に設定された撮像情報が撮像情報記憶部１３４に格納されているか否かを判定する。
【００５４】
ここで、撮像画像の評価について説明する。撮像画像に対しては、良好、可（やや強）、可（やや弱）、不可の４段階の評価値が設定される。なお、評価値の設定は、診断を行った医師による操作に応じて行われてもよく、また他の例としては、他のシステムから入力された値を用いて行われてもよい。なお、本実施形態においては、評価は４段階とし、判定条件には良好か否かを利用することとしたが、評価段階及び判定基準となる評価値は実施形態に限定されるものではない。
【００５５】
撮像条件決定部１３１は、撮像対象のオーダー情報と患者、撮像部位及び撮像方向が同一で、かつ撮像画像の評価が良好に設定された撮像情報が格納されている場合には（Ｓ１５０１でＹＥＳ）、処理をＳ１５０２へ進める。撮像条件決定部１３１は、撮像対象のオーダー情報と患者、撮像部位及び撮像方向が同一で、かつ撮像画像の評価が良好に設定された撮像情報が格納されていない場合には（Ｓ１５０１でＮＯ）、処理をＳ１５０３へ進める。Ｓ１５０２において、撮像条件決定部１３１は、撮像対象のオーダー情報と患者、撮像部位及び撮像方向が同一で、かつ撮像画像の評価が良好に設定された撮像情報に示される撮像条件を、撮像対象の撮像条件として設定する。Ｓ１５０３の処理は、図４を参照しつつ説明したＳ４０３の処理と同様である。
【００５６】
図１６は、図１５に示す撮像条件決定処理（Ｓ３０２）の説明図である。図１６は、撮像情報テーブル１６００及び撮像条件１６１０の一例を示す図である。撮像条件１６１０は、撮像情報テーブル１６００に基づいて、図１５に示す処理により決定された撮像条件である。なお、オーダー情報は、図５に示すオーダー情報５００とする。撮像情報テーブル１６００には、評価値が含まれている。
【００５７】
図１６の例では、患者、撮像部位及び撮像方向が同一で、かつ評価値が良好のレコード１６０１が選択され、このレコード１６０１に示される撮像条件が、撮像対象の撮像条件１６１０として決定される。なお、第６の実施形態に係る放射線撮像システムのこれ以外の構成及び処理は、他の実施形態に係る放射線撮像システムの構成及び処理と同様である。以上のように、第６の実施形態に係る撮像制御装置１３０は、評価値を考慮して、撮像条件を決定することができる。
【００５８】
なお、第６の実施形態の変形例としては、評価値に基づいてレコードを選択すればよく、そのための具体的な処理は、実施形態に限定されるものではない。他の例としては、撮像制御装置１３０は、評価値が最も高いレコードを選択してもよい。この場合、撮像制御装置１３０は、評価値が良好のレコードが存在せず、可（やや強）のレコードが存在する場合には、可（やや強）のレコードを選択する。
【００５９】
また、上記実施形態の変形例としては、設定記憶部１３３及び撮像情報記憶部１３４は、放射線撮像システム１０の外に配置されてもよい。例えば、図１７に示すように、設定記憶部１３３及び撮像情報記憶部１３４は、放射線撮像システム１０とネットワークを介して接続されたサーバ装置１７００が有するものとしてもよい。さらに、放射線発生装置１１０、放射線撮像装置１２０、撮像制御装置１３０もネットワークに接続されたシステムとしてもよい。この構成により、サーバ装置１７００の設定情報及び撮像情報をシステム内で共有することができる。また、新たな撮像制御装置１３０が構築された場合には、撮像制御装置１３０において情報が蓄積されていない場合であっても、サーバ装置１７００が蓄積している、他の撮像制御装置１３０の情報を利用することができる。
【００６０】
また、他の例としては、図１８に示すように、設定記憶部１３３及び撮像情報記憶部１３４を有するサーバ装置１８００は、クラウド３００上に設けられてもよい。さらに、クラウド３００には、病院施設Ａ及び病院施設Ｂそれぞれの放射線撮像システム１０が接続されているものとする。このように、施設を跨いで情報を共有することで、例えば同一の医師が複数施設で診断を行う場合に、医師に合わせた撮像条件を決定することもできる。また、技量の高い施設の情報をサーバ装置１８００に蓄積することで、技量の少ない施設においても、放射線照射の停止条件となる放射線量を適切に設定することができる。
【００６１】
以上、本発明の好ましい実施形態について詳述したが、本発明は係る特定の実施形態に限定されるものではなく、特許請求の範囲に記載された本発明の要旨の範囲内において、種々の変形・変更が可能である。
【００６２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６３】
１０  放射線撮像システム
１１０  放射線発生装置
１２０  放射線撮像装置
１３０  撮像制御装置
【図１】
2019097750.tif 000003
【図２】
2019097750.tif 000004
【図３】
2019097750.tif 000005
【図４】
2019097750.tif 000006
【図５】
2019097750.tif 000007
【図６】
2019097750.tif 000008
【図７】
2019097750.tif 000009
【図８】
2019097750.tif 000010
【図９】
2019097750.tif 000011
【図１０】
2019097750.tif 000012
【図１１】
2019097750.tif 000013
【図１２】
2019097750.tif 000014
【図１３】
2019097750.tif 000015
【図１４】
2019097750.tif 000016
【図１５】
2019097750.tif 000017
【図１６】
2019097750.tif 000018
【図１７】
2019097750.tif 000019
【図１８】
2019097750.tif 000020